(57)【要約】      （修正有）【課題】無線端末が、セルにアクセスするために必要なエリア毎のシステム情報を、基地局から取得する方法を提供する。【解決手段】移動通信システムの無線端末ＵＥ１００は、基地局ｇＮＢ２００−１からブロードキャストされている第１システム情報ブロック以外の第２のシステム情報ブロックを基地局に要求しＳ１０２、基地局から第２システム情報ブロック及び第２システム情報ブロックが適用可能なエリア情報を取得するＳ１０３。ＵＥが、ブロードキャストされているシステム情報ブロックに基づき、エリア外の他のエリアに移動したと判定した場合は、移動先の基地局ｇＮＢ２００−２に第２システム情報ブロックを要求しＳ１０９、他のエリアの第２システム情報ブロックを取得するＳ１１０。【選択図】図５
2020123987.tif 000002
【特許請求の範囲】
【請求項１】
ユーザ装置であって、
基地局からブロードキャストされ、前記基地局のセルにアクセスするために必要な情報を含む第１のシステム情報ブロックを受信する受信部と、
前記第１のシステム情報ブロック以外のシステム情報ブロックである第２のシステム情報ブロックを前記基地局から取得する制御部と、を備え、
前記制御部は、前記第２のシステム情報ブロックを前記ユーザ装置が適用可能なエリアを示すエリア情報を前記基地局から取得し、
前記エリアは、前記セルを含む複数のセルからなり、
前記制御部は、
前記ユーザ装置が前記エリア外の他セルに移動したと判定したことに応じて、前記他セルの前記第２のシステム情報ブロックの提供を要求する要求メッセージを前記他セルに送信し、
前記要求メッセージは、前記第２のシステム情報ブロックの識別子を含む 
ユーザ装置。
【請求項２】
前記制御部は、
前記第２のシステム情報ブロックに対応付けられたタグ番号を前記基地局から取得し、
前記タグ番号に基づいて、前記エリア内の他セルから更新後の第２のシステム情報ブロックが提供されるか否かを判定し、
前記他セルから前記更新後の第２のシステム情報ブロックが提供されると判定したことに応じて、前記他セルから前記更新後の第２のシステム情報ブロックを取得する
請求項１に記載の無線端末。
【請求項３】
前記セルからターゲットセルに対して前記ユーザ装置のハンドオーバを行う場合において、前記制御部は、前記ターゲットセルが提供する第２のシステム情報ブロックを含むハンドオーバコマンドを前記基地局から取得する
請求項１に記載の無線端末。
【請求項４】
ユーザ装置の制御方法であって、
基地局からブロードキャストされ、前記基地局のセルにアクセスするために必要な情報を含む第１のシステム情報ブロックを受信するステップと、
前記第１のシステム情報ブロック以外のシステム情報ブロックである第２のシステム情報ブロックを前記基地局から取得するステップと、
前記第２のシステム情報ブロックを前記ユーザ装置が適用可能なエリアを示すエリア情報を前記基地局から取得するステップであって、前記エリアは、前記セルを含む複数のセルからなる、ステップと、
前記ユーザ装置が前記エリア外の他セルに移動したと判定したことに応じて、前記他セルの前記第２のシステム情報ブロックの提供を要求する要求メッセージを前記他セルに送信するステップと、を有し、
前記要求メッセージは、前記第２のシステム情報ブロックの識別子を含む
制御方法。
【請求項５】
ユーザ装置を制御するプロセッサであって、
基地局からブロードキャストされ、前記基地局のセルにアクセスするために必要な情報を含む第１のシステム情報ブロックを受信する処理と、
前記第１のシステム情報ブロック以外のシステム情報ブロックである第２のシステム情報ブロックを前記基地局から取得する処理と、
前記第２のシステム情報ブロックを前記ユーザ装置が適用可能なエリアを示すエリア情報を前記基地局から取得する処理であって、前記エリアは、前記セルを含む複数のセルからなる、処理と、
前記ユーザ装置が前記エリア外の他セルに移動したと判定したことに応じて、前記他セルの前記第２のシステム情報ブロックの提供を要求する要求メッセージを前記他セルに送信する処理と、を実行し、
前記要求メッセージは、前記第２のシステム情報ブロックの識別子を含む
プロセッサ。
【発明の詳細な説明】
【技術分野】
【０００１】
本発明は、移動通信システムのための無線端末及び基地局に関する。
【背景技術】
【０００２】
近年、移動通信システムの標準化プロジェクトである３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、第５世代（５Ｇ）移動通信システム向けの新たな無線アクセス技術（ＮＲ：Ｎｅｗ  Ｒａｄｉｏ  Ａｃｃｅｓｓ  Ｔｅｃｈｎｏｌｏｇｙ）の研究が進められている。
【０００３】
従来型のＬＴＥ（Ｌｏｎｇ  Ｔｅｒｍ  Ｅｖｏｌｕｔｉｏｎ）において、基地局は、全てのシステム情報を周期的にブロードキャストする。しかしながら、無線端末に実際に利用されるか否かと無関係にシステム情報をブロードキャストすることにより、無線リソース及び基地局の電力等が無駄に消費される問題がある。
【０００４】
そこで、ＮＲについて、システム情報（ＳＩ）を効率的に無線端末に提供するための技術が検討されている。そのような技術は、システム情報を最小限システム情報（ｍｉｎｉｍｕｍ  ＳＩ）とそれ以外のシステム情報（ｏｔｈｅｒ  ＳＩ）とに分類する。基地局は、最小限システム情報を周期的にブロードキャストし、それ以外のシステム情報を無線端末からの要求に応じてオンデマンドで提供する。
【先行技術文献】
【非特許文献】
【０００５】
【非特許文献１】３ＧＰＰ寄書「Ｒ２−１６６８８５」
【非特許文献２】３ＧＰＰ寄書「Ｒ２−１６６６０３」
【非特許文献３】３ＧＰＰ寄書「Ｒ２−１６６３９３」
【非特許文献４】３ＧＰＰ寄書「Ｒ２−１６６１３２」
【非特許文献５】３ＧＰＰ寄書「Ｒ２−１６６５７２」
【非特許文献６】３ＧＰＰ寄書「Ｒ２−１６６７７２」
【非特許文献７】３ＧＰＰ寄書「Ｒ２−１６６３５３」
【非特許文献８】３ＧＰＰ寄書「Ｒ２−１６７０３９」
【発明の概要】
【０００６】
一実施形態に係る無線端末は、移動通信システムのための無線端末である。無線端末は、基地局からブロードキャストされ、前記基地局のセルにアクセスするために必要な情報を含む第１のシステム情報を受信する受信部と、前記第１のシステム情報以外のシステム情報を含む第２のシステム情報を前記基地局から取得する制御部と、を備える。前記制御部は、前記第２のシステム情報を前記無線端末が適用可能なエリアを示すエリア情報を、前記第２のシステム情報と共に前記基地局から取得する。
【０００７】
一実施形態に係る基地局は、移動通信システムのための基地局である。基地局は、無線端末が自セルにアクセスするために必要な情報を含む第１のシステム情報をブロードキャストする送信部と、前記第１のシステム情報以外のシステム情報を含む第２のシステム情報を前記無線端末に提供する制御部と、を備える。前記制御部は、前記第２のシステム情報を前記無線端末が適用可能なエリアを示す情報を、前記第２のシステム情報と共に前記無線端末に提供する。
【０００８】
一実施形態に係る無線端末は、移動通信システムのための無線端末である。無線端末は、基地局からブロードキャストされ、前記基地局のセルにアクセスするために必要な情報を含む第１のシステム情報を受信する受信部と、前記第１のシステム情報以外のシステム情報を含む第２のシステム情報を前記基地局から取得する制御部と、を備える。前記制御部は、前記基地局がユニキャスト及びブロードキャストの何れで前記第２のシステム情報を提供すべきかを前記基地局が判定するためのパラメータを前記基地局に通知する。
【０００９】
一実施形態に係る基地局は、移動通信システムのための基地局である。基地局は、無線端末が自セルにアクセスするために必要な情報を含む第１のシステム情報をブロードキャストする送信部と、前記第１のシステム情報以外のシステム情報を含む第２のシステム情報を前記無線端末に提供する制御部と、を備える。前記制御部は、前記基地局がユニキャスト及びブロードキャストの何れで前記第２のシステム情報を提供すべきかを判定するためのパラメータを前記無線端末から取得する。
【図面の簡単な説明】
【００１０】
【図１】第１及び第２実施形態に係る移動通信システムを示す図である。
【図２】ブロードキャストで提供されるオンデマンドＳＩＢ（オンデマンドシステム情報）の一例を示す図である。
【図３】第１及び第２実施形態に係るＵＥ（無線端末）を示す図である。
【図４】第１及び第２実施形態に係るｇＮＢ（基地局）を示す図である。
【図５】第１実施形態に係る動作シーケンスの一例を示す図である。
【図６】第１実施形態の変更例１の動作シーケンスの一例を示す図である。
【図７】第２実施形態に係る動作シーケンスの一例を示す図である。
【発明を実施するための形態】
【００１１】
最小限システム情報以外のシステム情報（以下、「オンデマンドシステム情報」と称する）は、セルごとに異なり得る。このため、無線端末が一のセルから他のセルに移動する度に、無線端末が移動先のセルに対してオンデマンドシステム情報の提供を要求し得る。基地局は、オンデマンドシステム情報をブロードキャストで提供し得る。よって、オンデマンドのシステム情報の提供を導入することにより、システム情報の提供の効率性及び／又は即時性が却って低下する懸念がある。
【００１２】
（１）第１実施形態
第１実施形態について説明する。第１実施形態に係る移動通信システムは、３ＧＰＰ規格に基づく５Ｇ移動通信システムである。
【００１３】
（１．１）移動通信システム
図１は、移動通信システムを示す図である。図１に示すように、移動通信システムは、無線端末（ＵＥ：Ｕｓｅｒ  Ｅｑｕｉｐｍｅｎｔ）１００、複数の基地局２００（基地局２００−１乃至２００−３）、及びコアネットワーク（ＣＮ）３００を有する。
【００１４】
ＵＥ１００は、移動型の通信装置である。ＵＥ１００は、自身が在圏するセル（サービングセル）を管理するｇＮＢ２００との無線通信を行う。
【００１５】
複数の基地局２００は、無線アクセスネットワーク（ＲＡＮ）を構成する。各基地局２００は、１又は複数のセルを管理する。各基地局２００は、自セルとの接続を確立した無線端末１００との無線通信を行う。「セル」は、無線通信エリアの最小単位を示す用語として用いられる。「セル」は、無線端末１００との無線通信を行う機能又はリソースを示す用語としても用いられてもよい。５Ｇ移動通信システムの基地局は、ｇＮＢ（ｎｅｘｔ  Ｇｅｎｅｒａｔｉｏｎ  Ｎｏｄｅ−Ｂ）と称される。一のｇＮＢと他のｇＮＢとの間には基地局間インターフェイスが設けられる。各ｇＮＢは、基地局間インターフェイスを介して他のｇＮＢとの通信を行う。
【００１６】
ＣＮ３００は、ＵＥ１００のモビリティ管理及びユーザデータの転送制御等を行う。ＣＮ３００と各ｇＮＢ２００との間にはＲＡＮ−ＣＮインターフェイスが設けられる。ＣＮ３００は、ＲＡＮ−ＣＮインターフェイスを介して各ｇＮＢ２００との通信を行う。
【００１７】
図１に示す例において、ｇＮＢ２００−１はセルＡを管理する。ｇＮＢ２００−２はセルＢを管理する。ｇＮＢ２００−３はセルＣを管理する。各ｇＮＢ２００は、さらに１以上のビーム（不図示）を管理してもよい。各ｇＮＢ２００は、自セルに在圏するＵＥ１００に対してシステム情報を提供する。ＵＥ１００は、セルＡ、セルＢ、及びセルＣの順に移動する。
【００１８】
第１実施形態において、システム情報を効率的に無線端末に提供するために、システム情報を最小限システム情報（第１のシステム情報）とそれ以外のシステム情報（第２のシステム情報）とに分類する。各ｇＮＢ２００は、最小限システム情報を周期的にブロードキャストし、それ以外のシステム情報であるオンデマンドシステム情報をＵＥ１００からの要求に応じてオンデマンドで提供する。以下において、システム情報をシステム情報ブロック（ＳＩＢ）と表記する。
【００１９】
セルでブロードキャストされる最小限ＳＩＢは、ＵＥ１００が当該セルにアクセスするために必要な情報を含む。そのような情報は、例えば物理ランダムアクセスチャネルの設定情報等を含む。最小限ＳＩＢは、ＵＥ１００がオンデマンドＳＩＢを取得するために必要な情報（例えばスケジューリング情報等）を含んでもよい。最小限ＳＩＢは、オンデマンドＳＩＢの提供を要求する要求信号の設定情報を含んでもよい。最小限ＳＩＢは、必須ＳＩＢと称されてもよい。
【００２０】
オンデマンドＳＩＢは、最小限ＳＩＢ以外のＳＩＢ（ｏｔｈｅｒ  ＩＳ）を含む。そのようなＳＩＢは、個別機能（個別サービス）向けのＳＩＢであってもよい。一例として、オンデマンドＳＩＢは、端末間（Ｄ２Ｄ：Ｄｅｖｉｃｅ−ｔｏ−Ｄｅｖｉｃｅ）通信用のＳＩＢ、ブロードキャスト／マルチキャスト通信用のＳＩＢ、ＰＷＳ（Ｐｕｂｌｉｃ  Ｗａｒｎｉｎｇ  Ｓｙｓｔｅｍ）用のＳＩＢ等を含む。これらのＳＩＢは、ＳＩＢの識別子により一意に識別可能であってもよい。オンデマンドＳＩＢは、任意ＳＩＢと称されてもよい。
【００２１】
オンデマンドＳＩＢは、ブロードキャスト又はユニキャストで提供される。図２は、ブロードキャストで提供されるオンデマンドＳＩＢの一例を示す図である。図２に示すように、オンデマンドＳＩＢの送信機会が周期的に設定される。ｇＮＢ２００は、ＵＥ１００から要求を受信した場合に、当該要求の後の送信機会においてオンデマンドＳＩＢをブロードキャストする。ｇＮＢ２００は、一の送信機会とその次の送信機会との間でＵＥ１００から要求を受信しない場合には、当該次の送信機会においてオンデマンドＳＩＢを送信しない。これにより、無線リソース及び基地局の電力等を節約することができる。
【００２２】
（１．２）無線端末
図３は、ＵＥ１００を示す図である。図３に示すように、ＵＥ１００は、受信部１１０、送信部１２０、及び制御部１３０を有する。受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。制御部１３０は、ＵＥ１００における各種の制御を行う。制御部１３０は、プロセッサ及びメモリを含む。メモリは、プロセッサにより実行されるプログラム、及びプロセッサによる処理に用いられる情報を記憶する。プロセッサは、ベースバンドプロセッサとＰＵ（Ｃｅｎｔｒａｌ  Ｐｒｏｃｅｓｓｉｎｇ  Ｕｎｉｔ）とを含む。ベースバンドプロセッサは、ベースバンド信号の変調・復調及び符号化・復号等を行う。ＣＰＵは、メモリに記憶されるプログラムを実行して各種の処理を行う。プロセッサは、音声・映像信号の符号化・復号を行うコーデックを含んでもよい。プロセッサは、後述する各種の処理を実行する。
【００２３】
第１実施形態において、受信部１１０は、最小限ＳＩＢをｇＮＢ２００（サービングセル）から受信する。制御部１３０は、ｇＮＢ２００に要求を行うことにより、オンデマンドＳＩＢをｇＮＢ２００（サービングセル）から取得する。制御部１３０は、オンデマンドＳＩＢをＵＥ１００が適用可能なエリアを示すエリア情報を、オンデマンドＳＩＢと共にｇＮＢ２００（サービングセル）から取得する。第１実施形態において、エリア情報は、オンデマンドＳＩＢに含まれる。
【００２４】
第１実施形態において、オンデマンドＳＩＢをＵＥ１００が適用可能なエリア（以下、「適用可能エリア」と称する）は、現在のサービングセルを含む複数のセルからなる。エリア情報は、当該複数のセルの識別子のリスト（セル識別子リスト）を含む。さらに、適用可能エリアは、サービングビームを含む複数のビームから構成されてもよく、各ビームにはビームの識別子が割り当てられてもよい。当該ビーム識別子が、前記セル識別子リストに含まれていてもよい。
【００２５】
第１実施形態において、制御部１３０は、ＵＥ１００が適用可能エリア外の他セルに移動したか否かを判定する。一例として、制御部１３０は、ＵＥ１００の移動先のセルごとに、当該セルのセル識別子を検知し、検知したセル識別子がセル識別子リスト中の何れかのセル識別子と一致するか否かを確認し、一致しない場合には当該移動先のセルが適用可能エリア外であると判定する。制御部１３０は、ＵＥ１００が適用可能エリア外の他セルに移動したと判定したことに応じて、当該他セルのオンデマンドＳＩＢの提供を当該他セルに要求してもよい。
【００２６】
第１実施形態において、制御部１３０は、オンデマンドＳＩＢに対応付けられたタグ番号をｇＮＢ２００（サービングセル）から取得してもよい。制御部１３０は、取得したタグ番号に基づいて、適用可能エリア内の他セルから更新後のオンデマンドＳＩＢが提供されるか否かを判定し、当該他セルから更新後のオンデマンドＳＩＢが提供されると判定したことに応じて、当該他セルから更新後のオンデマンドＳＩＢを取得してもよい。
【００２７】
（１．３）基地局
図４は、ｇＮＢ２００を示す図である。図４に示すように、ｇＮＢ２００は、送信部２１０、受信部２２０、及び制御部２３０を有する。ｇＮＢ２００は、バックホール通信部２４０を有してもよい。送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。制御部２３０は、ｇＮＢ２００における各種の制御を行う。制御部２３０は、プロセッサ及びメモリを含む。メモリは、プロセッサにより実行されるプログラム、及びプロセッサによる処理に用いられる情報を記憶する。プロセッサは、ベースバンドプロセッサとＣＰＵとを含む。ベースバンドプロセッサは、ベースバンド信号の変調・復調及び符号化・復号等を行うと、ＣＰＵは、メモリに記憶されるプログラムを実行して各種の処理を行う。プロセッサは、上述した各種の処理及び後述する各種の処理を実行する。バックホール通信部２４０は、ＲＡＮ−ＣＮインターフェイスを介してＣＮ３００と接続される。バックホール通信部２４０は、基地局間インターフェイスを介して隣接基地局（不図示）と接続されてもよい。制御部２３０、送信部２１０、受信部２２０のうち一部の機能が別ユニットに配置されていてもよく、この場合、当該別ユニットとｇＮＢ２００の間はフロントホール通信によって接続される。
【００２８】
第１実施形態において、送信部２１０は、ＵＥ１００が自セルにアクセスするために必要な情報を含む最小限ＳＩＢを周期的にブロードキャストする。制御部２３０は、最小限ＳＩＢ以外のＳＩＢを含むオンデマンドＳＩＢを、ＵＥ１００からの要求に応じてＵＥ１００に提供する。制御部２３０は、オンデマンドＳＩＢをＵＥ１００が適用可能な適用可能エリアを示すエリア情報を、オンデマンドＳＩＢと共にＵＥ１００に提供する。
【００２９】
第１実施形態において、送信部２１０が送信する最小限ＳＩＢは、最小限ＳＩＢ以外の特定のＳＩＢをｇＮＢ２００が提供するか否かを示す情報及び特定のＳＩＢに対応付けられたタグ番号のうち少なくとも１つを含んでもよい。
【００３０】
（１．４）動作シーケンス
図５は、第１実施形態に係る動作シーケンスの一例を示す図である。以下の図面の記載において、オンデマンドＳＩＢを「Ｏｔｈｅｒ  ＳＩＢ」と表記する。ここでは、ＵＥ１００が、ｇＮＢ２００−１のセルＡでオンデマンドＳＩＢを受信し、その後、ｇＮＢ２００−２のセルＢに移動するシナリオを想定する。但し、セルＡ及びセルＢが異なるｇＮＢにより管理されるのではなく、セルＡ及びセルＢが同一のｇＮＢにより管理されるシナリオを想定してもよい。
【００３１】
図５に示すように、ステップＳ１０１において、ＵＥ１００は、オンデマンドＳＩＢ（Ｏｔｈｅｒ  ＳＩＢ）を取得する必要が生じたことを検知する。一例として、ＵＥ１００は、自身の上位レイヤ（例えばアプリケーションレイヤ等）が特定サービスの利用を要求することを検知する。当該特定サービスは、オンデマンドＳＩＢ（Ｏｔｈｅｒ  ＳＩＢ）に関連するサービスである。
【００３２】
ステップＳ１０２において、ＵＥ１００は、オンデマンドＳＩＢ（Ｏｔｈｅｒ  ＳＩＢ）を取得する必要が生じたことに応じて、オンデマンドＳＩＢ（Ｏｔｈｅｒ  ＳＩＢ）の提供を要求する要求信号（Ｏｔｈｅｒ  ＳＩＢ  ｒｅｑｕｅｓｔ）をｇＮＢ２００−１に送信する。要求信号（Ｏｔｈｅｒ  ＳＩＢ  ｒｅｑｕｅｓｔ）は、ＵＥ１００が提供を要求するＳＩＢの識別子を含んでもよい。
【００３３】
ステップＳ１０３において、ｇＮＢ２００−１は、要求信号（Ｏｔｈｅｒ  ＳＩＢ  ｒｅｑｕｅｓｔ）の受信に応じて、オンデマンドＳＩＢ（Ｏｔｈｅｒ  ＳＩＢ）をＵＥ１００に提供する。ｇＮＢ２００−１は、ブロードキャスト又はユニキャストでオンデマンドＳＩＢ（Ｏｔｈｅｒ  ＳＩＢ）を提供する。ｇＮＢ２００−１は、要求信号（Ｏｔｈｅｒ  ＳＩＢ  ｒｅｑｕｅｓｔ）に含まれる識別子に対応するＳＩＢ（すなわち、ＵＥ１００が要求するＳＩＢ）を含むオンデマンドＳＩＢ（Ｏｔｈｅｒ  ＳＩＢ）を提供してもよい。ｇＮＢ２００−１は、最小限ＳＩＢ以外の全ての利用可能なＳＩＢを含むオンデマンドＳＩＢ（Ｏｔｈｅｒ  ＳＩＢ）を提供してもよい。
【００３４】
ｇＮＢ２００−１は、オンデマンドＳＩＢ（Ｏｔｈｅｒ  ＳＩＢ）と共に、当該オンデマンドＳＩＢ（Ｏｔｈｅｒ  ＳＩＢ）を適用可能なセル識別子のリスト（Ａｐｐｌｉｃａｂｌｅ  Ｃｅｌｌ−ＩＤ  ｌｉｓｔ）を提供する。リスト（Ａｐｐｌｉｃａｂｌｅ  Ｃｅｌｌ−ＩＤ  ｌｉｓｔ）は、オンデマンドＳＩＢ（Ｏｔｈｅｒ  ＳＩＢ）中のＳＩＢごとに提供されてもよい。一例として、ＳＩＢｘｘに対応するリスト（Ａｐｐｌｉｃａｂｌｅ  Ｃｅｌｌ−ＩＤ  ｌｉｓｔ）及びＳＩＢｙｙに対応するリスト（Ａｐｐｌｉｃａｂｌｅ  Ｃｅｌｌ−ＩＤ  ｌｉｓｔ）が提供される。
【００３５】
ｇＮＢ２００−１は、オンデマンドＳＩＢ（Ｏｔｈｅｒ  ＳＩＢ）と共に、当該オンデマンドＳＩＢ（Ｏｔｈｅｒ  ＳＩＢ）と対応付けられたタグ番号（Ｖａｌｕｅ  Ｔａｇ）を提供してもよい。タグ番号（Ｖａｌｕｅ  Ｔａｇ）は、対応するＳＩＢの更新に応じて更新される番号である。タグ番号（Ｖａｌｕｅ  Ｔａｇ）は、オンデマンドＳＩＢ（Ｏｔｈｅｒ  ＳＩＢ）中のＳＩＢごとに提供されてもよい。一例として、ＳＩＢｘｘに対応するタグ番号（Ｖａｌｕｅ  Ｔａｇ）及びＳＩＢｙｙに対応するタグ番号（Ｖａｌｕｅ  Ｔａｇ）が提供される。
【００３６】
ステップＳ１０４において、ＵＥ１００は、ｇＮＢ２００−１から提供されたオンデマンドＳＩＢ（Ｏｔｈｅｒ  ＳＩＢ）を記憶する。オンデマンドＳＩＢ（Ｏｔｈｅｒ  ＳＩＢ）は、複数のＳＩＢを含み得る。ＵＥ１００は、記憶したオンデマンドＳＩＢを用いて特定サービス（又は特定機能）を利用する。
【００３７】
その後、ＵＥ１００は、ｇＮＢ２００−１のセルＡからｇＮＢ２００−２のセルＢに移動する。
【００３８】
ステップＳ１０５において、ｇＮＢ２００−２は、最小限ＳＩＢをブロードキャストする。最小限ＳＩＢは、セルＢのセル識別子を含んでもよい。最小限ＳＩＢは、オンデマンドＳＩＢ（Ｏｔｈｅｒ  ＳＩＢ）に関する情報（Ｏｔｈｅｒ  ＳＩＢ  Ｉｎｆｏｒｍａｔｉｏｎ）を含んでもよい。当該情報（Ｏｔｈｅｒ  ＳＩＢ  Ｉｎｆｏｒｍａｔｉｏｎ）は、ｇＮＢ２００−２がオンデマンドＳＩＢを提供するか否か（Ａｖａｉｌａｂｌｅ  ｏｒ  ｎｏｔ）及びオンデマンドＳＩＢ（Ｏｔｈｅｒ  ＳＩＢ）に対応付けられたタグ番号（Ｖａｌｕｅ  Ｔａｇ）のうち少なくとも１つを含む。当該情報（Ｏｔｈｅｒ  ＳＩＢ  Ｉｎｆｏｒｍａｔｉｏｎ）は、オンデマンドＳＩＢ（Ｏｔｈｅｒ  ＳＩＢ）中のＳＩＢごとに提供されてもよい。一例として、ＳＩＢｘｘに対応する情報（Ａｖａｉｌａｂｌｅ  ｏｒ  ｎｏｔ）及びタグ番号（Ｖａｌｕｅ  Ｔａｇ）と、ＳＩＢｙｙに対応する情報（Ａｖａｉｌａｂｌｅ  ｏｒ  ｎｏｔ）及びタグ番号（Ｖａｌｕｅ  Ｔａｇ）とが提供される。ＵＥ１００は、ｇＮＢ２００−２から最小限ＳＩＢを受信する。当該情報（Ｏｔｈｅｒ  ＳＩＢ  Ｉｎｆｏｒｍａｔｉｏｎ）は、最小限ＳＩＢ以外の情報又はメッセージに含まれてもよい。
【００３９】
ステップＳ１０６において、ＵＥ１００は、記憶しているオンデマンドＳＩＢ（Ｏｔｈｅｒ  ＳＩＢ）をセルＢにおいて利用可能であるか否かを判定する。具体的には、ＵＥ１００は、セルＢのセル識別子を、記憶している各リスト（Ａｐｐｌｉｃａｂｌｅ  Ｃｅｌｌ−ＩＤ  ｌｉｓｔ）中のセル識別子と比較し、一致するか否かを判定する。ここでは、一致すると判定した場合（ステップＳ１０６：Ｙｅｓ）を想定して説明を進める。
【００４０】
セルＢのセル識別子が何れかのリスト（Ａｐｐｌｉｃａｂｌｅ  Ｃｅｌｌ−ＩＤ  ｌｉｓｔ）中のセル識別子と一致しない場合（ステップＳ１０６：Ｎｏ）、ＵＥ１００は、セルＢにおいて受信した情報（Ａｖａｉｌａｂｌｅ  ｏｒ  ｎｏｔ）に基づいて、当該リストに対応するオンデマンドＳＩＢ（Ｏｔｈｅｒ  ＳＩＢ）がセルＢにおいて提供されるか否かを判定してもよい。当該オンデマンドＳＩＢ（Ｏｔｈｅｒ  ＳＩＢ）がセルＢにおいて提供されると判定した場合、ＵＥ１００は、当該オンデマンドＳＩＢ（Ｏｔｈｅｒ  ＳＩＢ）の提供をｇＮＢ２００−２（セルＢ）に要求してもよい。
【００４１】
ステップＳ１０７において、ＵＥ１００は、記憶しているオンデマンドＳＩＢ（Ｏｔｈｅｒ  ＳＩＢ）に関する情報、例えばタグ番号（Ｖａｌｕｅ  Ｔａｇ）を読み出す。
【００４２】
ステップＳ１０８において、ＵＥ１００は、読み出したタグ番号（Ｖａｌｕｅ  Ｔａｇ）を、セルＢにおいて受信したタグ番号（Ｖａｌｕｅ  Ｔａｇ）と比較し、一致するか否かを判定する。一致する場合（ステップＳ１０８：Ｙｅｓ）、ＵＥ１００は、セルＡにおいて取得したオンデマンドＳＩＢ（Ｏｔｈｅｒ  ＳＩＢ）をセルＢにおいて用いることが可能であると判定する。
【００４３】
一致しない場合（ステップＳ１０８：Ｎｏ）、ステップＳ１０９において、ＵＥ１００は、オンデマンドＳＩＢ（Ｏｔｈｅｒ  ＳＩＢ）の提供を要求する要求信号（Ｏｔｈｅｒ  ＳＩＢ  ｒｅｑｕｅｓｔ）をｇＮＢ２００−２（セルＢ）に送信する。要求信号（Ｏｔｈｅｒ  ＳＩＢ  ｒｅｑｕｅｓｔ）は、ＵＥ１００が提供を要求するＳＩＢの識別子を含んでもよい。
【００４４】
ステップＳ１１０において、ｇＮＢ２００−２は、要求信号（Ｏｔｈｅｒ  ＳＩＢ  ｒｅｑｕｅｓｔ）の受信に応じて、オンデマンドＳＩＢ（Ｏｔｈｅｒ  ＳＩＢ）をＵＥ１００に提供する。ｇＮＢ２００−２は、ブロードキャスト又はユニキャストでオンデマンドＳＩＢ（Ｏｔｈｅｒ  ＳＩＢ）を提供する。ｇＮＢ２００−２は、要求信号（Ｏｔｈｅｒ  ＳＩＢ  ｒｅｑｕｅｓｔ）に含まれる識別子に対応するＳＩＢを含むオンデマンドＳＩＢ（Ｏｔｈｅｒ  ＳＩＢ）を提供してもよい。ｇＮＢ２００−２は、最小限ＳＩＢ以外の全ての利用可能なＳＩＢを含むオンデマンドＳＩＢ（Ｏｔｈｅｒ  ＳＩＢ）を提供してもよい。
【００４５】
（１．５）変更例１
第１実施形態の変更例１において、ｇＮＢ２００（制御部２３０）は、オンデマンドＳＩＢの適用可能エリア外の他セル（例えば隣接セル）が提供するオンデマンドＳＩＢをＵＥ１００に提供する。以下において、他セルが提供するオンデマンドＳＩＢを「隣接セル・オンデマンドＳＩＢ」と称する。ＵＥ１００（制御部１３０）は、隣接セル・オンデマンドＳＩＢをｇＮＢ２００から取得する。
【００４６】
ｇＮＢ２００（制御部２３０）は、隣接セル・オンデマンドＳＩＢを、当該他セルを管理するｇＮＢから基地局間インターフェイスを介して取得してもよい。ＵＥ１００に提供される隣接セル・オンデマンドＳＩＢは、当該他セルのセル識別子を含んでもよい。
【００４７】
ｇＮＢ２００（制御部２３０）は、自セルのオンデマンドＳＩＢの提供と同時に隣接セル・オンデマンドＳＩＢをＵＥ１００に提供してもよいし、自セルのオンデマンドＳＩＢの提供とは異なるタイミングで隣接セル・オンデマンドＳＩＢをＵＥ１００に提供してもよい。別タイミングで行う場合は、その旨をＵＥ１００に通知してもよい。
【００４８】
図６は、第１実施形態の変更例１の動作シーケンスの一例を示す図である。図６において破線で示す処理は、必須ではない処理を示す。図６において、ｇＮＢ２００−２のセルＢが、ｇＮＢ２００−１のセルＡの隣接セルであるシナリオを想定する。
【００４９】
図６に示すように、ステップＳ１２１において、ｇＮＢ２００−１及びｇＮＢ２００−２は、自身が有するオンデマンドＳＩＢ（Ｏｔｈｅｒ  ＳＩＢ）を基地局間インターフェイス上で相互に通知してもよい。
【００５０】
ステップＳ１２２において、ＵＥ１００は、オンデマンドＳＩＢの提供を要求する要求信号（Ｏｔｈｅｒ  ＳＩＢ  ｒｅｑｕｅｓｔ）をｇＮＢ２００−１に送信する。ＵＥ１００は、ＵＥ１００の移動速度を示す値（例えば、単位時間内のセル間移動回数）が閾値を上回る場合のみ、隣接セル・オンデマンドＳＩＢの提供を要求する要求信号の送信が許可されてもよい。この場合、閾値は、ｇＮＢ２００−１からＵＥ１００に設定されてもよい。
【００５１】
要求信号（Ｏｔｈｅｒ  ＳＩＢ  ｒｅｑｕｅｓｔ）は、隣接セル・オンデマンドＳＩＢの提供を要求する旨の識別子を含んでもよい。要求信号（Ｏｔｈｅｒ  ＳＩＢ  ｒｅｑｕｅｓｔ）は、隣接セル・オンデマンドＳＩＢの提供を要求する他セル（隣接セル）の識別子を含んでもよい。要求信号（Ｏｔｈｅｒ  ＳＩＢ  ｒｅｑｕｅｓｔ）は、提供を要求するＳＩＢの識別子を含んでもよい。隣接セル・オンデマンドＳＩＢの提供を要求する要求信号は、サービングセルのオンデマンドＳＩＢの提供を要求する要求信号とは別の信号（別メッセージ、別プリアンブル等）であってもよい。
【００５２】
ステップＳ１２３において、ｇＮＢ２００−１は、ＵＥ１００から要求されたオンデマンドＳＩＢ（例えば、ＳＩＢｘｘ及びＳＩＢｙｙ）について、ｇＮＢ２００−１とｇＮＢ２００−２との内容が同じであるか否かを判定する。
【００５３】
同じであると判定した場合（ステップＳ１２３：Ｙｅｓ）、ステップＳ１２４において、ｇＮＢ２００−１は、ｇＮＢ２００−２のセルＢのセル識別子を、オンデマンドＳＩＢ（Ｏｔｈｅｒ  ＳＩＢ）の適用可能セル識別子リストに追加してもよい。ステップＳ１２５において、ｇＮＢ２００−１は、自セル（セルＡ）のオンデマンドＳＩＢ（Ｏｔｈｅｒ  ＳＩＢ）をＵＥ１００に提供する。ｇＮＢ２００−１は、ＵＥ１００から提供を要求されたＳＩＢ（例えば、ＳＩＢｘｘ及びＳＩＢｙｙ）を含むオンデマンドＳＩＢ（Ｏｔｈｅｒ  ＳＩＢ）をＵＥ１００に提供してもよい。
【００５４】
一方、異なると判定した場合（ステップＳ１２３：Ｎｏ）、ステップＳ１２６において、ｇＮＢ２００−１は、ｇＮＢ２００−２が有するオンデマンドＳＩＢ（Ｏｔｈｅｒ  ＳＩＢ）をｇＮＢ２００−２から基地局間インターフェイス上で取得してもよい。そして、ステップＳ１２７において、ｇＮＢ２００−１は、隣接セル・オンデマンドＳＩＢをＵＥ１００に提供する。当該隣接セル・オンデマンドSIBには、当該隣接セルのＩＤ又は隣接セルである事を示す情報（例えば、フラグ、メッセージ種別など）を含んでもよい。
【００５５】
本シーケンスにおいて、隣接セル・オンデマンドＳＩＢの提供を要求する要求信号を不要としてもよい。言い換えると、ｇＮＢ２００−１は、自セル（セルＡ）のオンデマンドＳＩＢの提供を要求する要求信号の受信に応じて、隣接セル・オンデマンドＳＩＢをＵＥ１００に提供してもよい。ｇＮＢ２００−１は、ＵＥ１００が移動していると判定した場合のみ、隣接セル・オンデマンドＳＩＢをＵＥ１００に提供してもよい。
【００５６】
第１実施形態の変更例１において、ｇＮＢ２００−１は、隣接セル・オンデマンドＳＩＢに加えて、又は隣接セル・オンデマンドＳＩＢに代えて、他セル（隣接セル）の最小限ＳＩＢをＵＥ１００に提供してもよい。
【００５７】
（１．６）変更例２
上述した第１実施形態の変更例１において、一のｇＮＢが他のｇＮＢからの要求に応じて当該一のｇＮＢのオンデマンドＳＩＢを基地局間インターフェイス上で他のｇＮＢに通知する一例を説明した。
【００５８】
しかしながら、一のｇＮＢ（ｇＮＢ  Ａ）は、他のｇＮＢ（ｇＮＢ  Ｘ）から要求が無くても当該一のｇＮＢ（ｇＮＢ  Ａ）のオンデマンドＳＩＢを基地局間インターフェイス上で他のｇＮＢ（ｇＮＢ  Ｘ）に通知してもよい。
【００５９】
一例として、一のｇＮＢ（ｇＮＢ  Ａ）は、定期的に当該一のｇＮＢ（ｇＮＢ  Ａ）のオンデマンドＳＩＢを基地局間インターフェイス上で他のｇＮＢ（ｇＮＢ  Ｘ）に通知してもよい。一のｇＮＢ（ｇＮＢ  Ａ）は、当該一のｇＮＢ（ｇＮＢ  Ａ）のオンデマンドＳＩＢが更新されたことをトリガとして、更新後のオンデマンドＳＩＢを基地局間インターフェイス上で他のｇＮＢ（ｇＮＢ  Ｘ）に通知してもよい。ここで、他のｇＮＢ（ｇＮＢ  Ｘ）は、１つであってもよいし、複数であってもよい。複数である場合、一のｇＮＢ（ｇＮＢ  Ａ）は、当該一のｇＮＢ（ｇＮＢ  Ａ）のオンデマンドＳＩＢを他のｇＮＢ（ｇＮＢ  Ｘ）にマルチキャストで一括して通知してもよいし、ユニキャストで個別に通知してもよい。他のｇＮＢ（ｇＮＢ  Ｘ）は、当該一のｇＮＢ（ｇＮＢ  Ａ）のセルの隣接セルを管理するｇＮＢであってもよい。他のｇＮＢ（ｇＮＢ  Ｘ）は、当該一のｇＮＢ（ｇＮＢ  Ａ）のセルが属するページングエリア（ＲＡＮページングエリア又はトラッキングエリア）に属する他セルを管理するｇＮＢであってもよい。
【００６０】
一のｇＮＢ（ｇＮＢ  Ａ）のオンデマンドＳＩＢを取得した他のｇＮＢ（ｇＮＢ  Ｘ）は、自身（ｇＮＢ  Ｘ）のオンデマンドＳＩＢと当該一のｇＮＢ（ｇＮＢ  Ａ）のオンデマンドＳＩＢとを比較し、同じである場合には当該一のｇＮＢ（ｇＮＢ  Ａ）のセルのセル識別子を当該オンデマンドＳＩＢの適用可能セル識別子リストに含めるように当該リストを更新してもよい。
【００６１】
（１．７）変更例３
第１実施形態の変更例３において、ＵＥ１００のハンドオーバを行うシナリオを想定する。
【００６２】
ｇＮＢ２００（制御部２３０）は、自セルから適用可能エリア外の他セル（隣接セル）に対してＵＥ１００のハンドオーバを行う場合、当該他セルが提供するオンデマンドＳＩＢ（すなわち、隣接セル・オンデマンドＳＩＢ）を含むハンドオーバコマンドをＵＥ１００に提供する。ＵＥ１００（制御部１３０）は、隣接セル・オンデマンドＳＩＢを含むハンドオーバコマンドを取得する。これにより、ＵＥ１００は、ハンドオーバ時に隣接セル・オンデマンドＳＩＢを速やかに取得することができる。
【００６３】
一例として、ソースｇＮＢは、ターゲットセル（隣接セル）に対するＵＥ１００のハンドオーバを決定し、ターゲットｇＮＢに対してハンドオーバ要求を送信する。ハンドオーバ要求は、ソースｇＮＢがＵＥ１００に提供済みのオンデマンドＳＩＢを含んでもよい。ハンドオーバ要求は、ＵＥ１００が提供を要求するオンデマンドＳＩＢの識別子を含んでもよい。ハンドオーバ要求は、ＵＥ１００が興味を持つオンデマンドＳＩＢの識別子を含んでもよい（後述する第１実施形態の変更例４参照）。
【００６４】
ターゲットｇＮＢは、ハンドオーバ要求の受信に応じて、ハンドオーバコマンドを含むハンドオーバ応答をソースｇＮＢに送信する。ハンドオーバコマンドは、ターゲットｇＮＢが提供するオンデマンドＳＩＢを含む。ハンドオーバコマンドは、ＵＥ１００が要求するオンデマンドＳＩＢを含んでもよい。オンデマンドＳＩＢ（隣接セル・オンデマンドＳＩＢ）を含むハンドオーバコマンドは、ソースｇＮＢを介してＵＥ１００に提供される。
【００６５】
第１実施形態の変更例３は、必ずしも第１実施形態に係る動作を前提としなくてもよい。すなわち、ｇＮＢ２００は、ターゲットセルがオンデマンドＳＩＢの適用可能エリア外であるか否かと無関係に、第１実施形態の変更例３に係る動作を行ってもよい。
【００６６】
（１．８）変更例４
第１実施形態の変更例４において、ＵＥ１００（制御部１３０）は、オンデマンドＳＩＢ（最小限ＳＩＢ以外のＳＩＢ）のうち自身がどのＳＩＢの取得を望むかをｇＮＢ２００に通知してもよい。
【００６７】
このような通知（以下、「興味通知」と称する）は、オンデマンドＳＩＢの提供を要求する要求信号（Ｏｔｈｅｒ  ＳＩＢ  ｒｅｑｕｅｓｔ）に含まれてもよいし、要求信号（Ｏｔｈｅｒ  ＳＩＢ  ｒｅｑｕｅｓｔ）とは別の信号であってもよい。興味通知は、ＵＥ１００が取得を望むＳＩＢの識別子を含んでもよい。興味通知の内容は、上位ネットワーク装置において蓄積及び管理されてもよい。上位ネットワーク装置は、ＣＮ３００に設けられてもよい。
【００６８】
（１．９）変更例５
上述した第１実施形態において、オンデマンドＳＩＢの適用可能エリアが１又は複数のセルからなる一例を説明した。
【００６９】
しかしながら、オンデマンドＳＩＢの適用可能エリアは１又は複数のページングエリア（ＲＡＮページングエリア又はトラッキングエリア等）からなるエリアであってもよい。この場合、適用可能エリアを示すリストは、１又は複数のページングエリアの識別子を含んでもよい。
【００７０】
オンデマンドＳＩＢの適用可能エリアは、１又は複数のビーム（アンテナ指向性ビーム）により形成されるエリアであってもよい。適用可能エリアを示すリストは、１又は複数のビーム識別子を含んでもよい。
【００７１】
ｇＮＢ２００は、セル単位のリスト、ページングエリア単位のリスト、及びビーム単位のリストをＵＥ１００に個別に提供してもよい。ｇＮＢ２００は、セル単位のオンデマンドＳＩＢ、ページングエリア単位のオンデマンドＳＩＢ、及びビーム単位のオンデマンドＳＩＢをＵＥ１００又は他のｇＮＢ２００に提供・通知してもよい。
【００７２】
（１．１０）変更例６
上述した第１実施形態において、センターノードが存在するシナリオについて特に触れなかった。
【００７３】
センターノードは、ｇＮＢ２００の一部であってもよい。一例として、ｇＮＢ２００のプロトコルスタックを下位レイヤと上位レイヤとで分離し、センターノードが上位レイヤを担当してもよい。センターノードは、下位レイヤを担当する複数のエンティティを制御してもよい。当該複数のエンティティは、ＵＥ１００の視点では複数のセルと認識されてもよい。このような構成において、センターノードは、当該複数のエンティティのそれぞれに他のエンティティのオンデマンドＳＩＢを通知してもよい。
【００７４】
センターノードは、ｇＮＢ２００とは別のエンティティであってもよい。センターノードは、複数のｇＮＢ２００を制御してもよい。このような構成において、センターノードは、当該複数のｇＮＢ２００のそれぞれに他のｇＮＢ２００のオンデマンドＳＩＢを通知してもよい。
【００７５】
（２）第２実施形態
第２実施形態について、第１実施形態との相違点を主として説明する。
【００７６】
第２実施形態に係るＵＥ１００において、制御部１３０は、ｇＮＢ２００がユニキャスト及びブロードキャストの何れでオンデマンドＳＩＢを提供すべきかをｇＮＢ２００が判定するためのパラメータをｇＮＢ２００に通知する。
【００７７】
第２実施形態において、制御部１３０は、オンデマンドＳＩＢの提供を要求する要求信号（Ｏｔｈｅｒ  ＳＩＢ  ｒｅｑｕｅｓｔ）にパラメータを含める。パラメータは、ＵＥ１００がユニキャストを望むことを示す情報、ＵＥ１００がブロードキャストを望むことを示す情報、オンデマンドＳＩＢを取得する緊急度を示す情報、及びＱｏＳ関連パラメータのうち、少なくとも１つであってもよい。１つの要求信号（Ｏｔｈｅｒ  ＳＩＢ  ｒｅｑｕｅｓｔ）で複数のＳＩＢの要求ができる場合には、提供を要求するＳＩＢごとにパラメータを設定できるようにしてもよい。一例として、提供を要求するＳＩＢの識別子のリストと各識別子に対応付けられたパラメータとを要求信号（Ｏｔｈｅｒ  ＳＩＢ  ｒｅｑｕｅｓｔ）に含める。
【００７８】
第２実施形態に係るｇＮＢ２００において、制御部２３０は、自身がユニキャスト及びブロードキャストの何れでオンデマンドＳＩＢを提供すべきかを判定するためのパラメータをＵＥ１００から取得し、当該パラメータに基づいてユニキャスト及びブロードキャストの何れでオンデマンドＳＩＢを提供すべきかを判定する。
【００７９】
図７は、第２実施形態に係る動作シーケンスの一例を示す図である。
【００８０】
図７に示すように、ステップＳ２０１において、ＵＥ１００は、オンデマンドＳＩＢ（Ｏｔｈｅｒ  ＳＩＢ）を取得する必要が生じたことを検知する。一例として、ＵＥ１００は、自身の上位レイヤ（アプリケーションレイヤ等）が特定サービスの利用を要求することを検知する。当該特定サービスは、オンデマンドＳＩＢ（Ｏｔｈｅｒ  ＳＩＢ）に関連するサービスである。
【００８１】
ステップＳ２０２において、ＵＥ１００は、特定サービスについて規定時間よりも短期間でオンデマンドＳＩＢを取得すべきか否かを判定する。規定時間は、ｇＮＢ２００により設定された時間、次のオンデマンドＳＩＢの送信機会までの時間、又はアプリケーションのアクセス要求時間であってもよい。規定時間を設けず、上位レイヤ（ＮＡＳ、アプリケーション）からの通知に従って判定を行ってもよい。
【００８２】
ステップＳ２０２で「Ｙｅｓ」の場合、ＵＥ１００は、ユニキャストでオンデマンドＳＩＢが提供されるべき旨の要求信号（Ｏｔｈｅｒ  ＳＩＢ  ｒｅｑｕｅｓｔ）をｇＮＢ２００−１に送信する（ステップＳ２０３）。一例として、ＵＥ１００は、緊急度が高いことを示す情報又はＱｏＳが高いことを示すＱｏＳ情報を要求信号（Ｏｔｈｅｒ  ＳＩＢ  ｒｅｑｕｅｓｔ）に含める。ＱｏＳ情報は、ＱｏＳと関連する情報であって、例えばコアネットワークスライスＩＤ、セッションＩＤ、割り当てられたベアラＩＤ、許容待ち時間（許容レイテンシ）、ＱＣＩ（ＱｏＳ  Ｃｌａｓｓ  Ｉｄｅｎｔｉｆｉｅｒ）等である。コアネットワークスライスとは、ＣＮ３００に設けられる仮想的なエンティティである。ユニキャストでオンデマンドＳＩＢが提供されるべき旨の要求信号（すなわち、高速アクセス用の要求信号）とブロードキャストでオンデマンドＳＩＢが提供されるべき旨の要求信号（すなわち、遅延許容アクセス用の要求信号）とが別々に規定される場合、ＵＥ１００は、高速アクセス用の要求信号を送信してもよい。ｇＮＢ２００は、ユニキャストでオンデマンドＳＩＢが提供されるべき旨の要求信号（Ｏｔｈｅｒ  ＳＩＢ  ｒｅｑｕｅｓｔ）の受信に応じて、オンデマンドＳＩＢをユニキャストでＵＥ１００に提供する（ステップＳ２０５）。
【００８３】
一方、ステップＳ２０２で「Ｎｏ」の場合、ＵＥ１００は、ブロードキャストでオンデマンドＳＩＢが提供されるべき旨の要求信号（Ｏｔｈｅｒ  ＳＩＢ  ｒｅｑｕｅｓｔ）をｇＮＢ２００−１に送信する（ステップＳ２０４）。一例として、ＵＥ１００は、緊急度が低いことを示す情報又はＱｏＳが低いことを示す情報を要求信号（Ｏｔｈｅｒ  ＳＩＢ  ｒｅｑｕｅｓｔ）に含める。高速アクセス用の要求信号と遅延許容アクセス用の要求信号とが別々に規定される場合、ＵＥ１００は、遅延許容アクセス用の要求信号を送信してもよい。ｇＮＢ２００は、ブロードキャストでオンデマンドＳＩＢが提供されるべき旨の要求信号（Ｏｔｈｅｒ  ＳＩＢ  ｒｅｑｕｅｓｔ）の受信に応じて、オンデマンドＳＩＢをブロードキャストでＵＥ１００に提供する（ステップＳ２０６）。
【００８４】
（３）その他の実施形態
上述した各実施形態を別個独立に実施する場合に限らず、２以上の実施形態を組み合わせて実施してもよい。例えば、一の実施形態に係る一部の動作を他の実施形態に追加してもよい。一の実施形態に係る一部の動作を他の実施形態の一部の動作と置換してもよい。
【００８５】
上述した各実施形態において、移動通信システムとして５Ｇ移動通信システムを例示した。しかしながら、本発明は５Ｇ移動通信システムに限定されず、ＬＴＥシステムやその他のシステムに本発明を適用してもよい。
【００８６】
日本国特許出願第２０１６−２１６６６１号（２０１６年１１月４日出願）の全内容が、参照により、本願明細書に組み込まれている。
【図１】
2020123987.tif 000003
【図２】
2020123987.tif 000004
【図３】
2020123987.tif 000005
【図４】
2020123987.tif 000006
【図５】
2020123987.tif 000007
【図６】
2020123987.tif 000008
【図７】
2020123987.tif 000009